(57)【要約】【課題】  簡単な構造で傾斜地の勾配に自在に対応できる縦格子パネルを提供する。【解決手段】  縦格子パネルは、互いに平行な上下のビームパイプ２５間を、互いに平行な複数の縦格子２７で連結した基本構造を持つ。縦格子２７の上端部及び下端部のパネル面前後方向の面に凹部２７ａを形成する。縦格子２７の上端部及び下端部を上下の各ビームパイプ２５の取付穴２５ａに挿入し、ビームパイプ２５の端部開口から挿入した抜止め棒２８をビームパイプ２５のパネル面前後方向の内面２５ｂと縦格子の前記凹部２７ａとで形成される空間２９を挿通させる。凹部２７ａに嵌合する抜止め棒２８は縦格子２７がビームパイプ２５から抜けるのを防止するとともに、縦格子２７とビームパイプ２５との回動を許容する。これにより、縦格子パネルは、傾斜地の勾配に自在に対応できる。支柱は平坦地用と傾斜地用とで同じ構造のものを使用できる。【選択図】  図４
2006257670.tif 000002
【特許請求の範囲】
【請求項１】
互いに平行な上下のビームパイプ間を、互いに平行な複数の縦格子で連結したフェンス用の縦格子パネルにおいて、
前記縦格子の上端部及び下端部のパネル面前後方向の面に凹部を形成し、前記縦格子の前記凹部のある上端部及び下端部を、上下の各ビームパイプに設けた取付穴からそれぞれビームパイプ内に挿入し、縦格子抜け防止用の抜止め棒を、ビームパイプのパネル面前後方向の内面と各縦格子の前記凹部とで形成された空間に挿入したことを特徴とするフェンス用の縦格子パネル。
【請求項２】
前記縦格子の凹部をパネル面前後方向の２箇所に形成し、当該前後２箇所の凹部にそれぞれ対応する２本の抜止め棒を備えたことを特徴とする請求項１記載のフェンス用の縦格子パネル。
【請求項３】
前記縦格子の凹部がビームパイプ長手方向からみてコ字状の凹部であり、前記抜止め棒が丸パイプであることを特徴とする請求項１又は２に記載のフェンス用の縦格子パネル。
【請求項４】
前記抜止め棒が樹脂パイプであることを特徴とする請求項１〜３に記載のフェンス用の縦格子パネル。
【発明の詳細な説明】
【技術分野】
【０００１】
この発明は、傾斜地に設置するフェンスのパネルとして用いられて、傾斜地の勾配に自在に対応可能な縦格子パネルに関する。
【背景技術】
【０００２】
互いに平行な上下のビーム間を互いに平行な複数の縦格子で連結した縦格子パネルを支柱間に取り付けたフェンスは、道路フェンス等として広く用いられている。この種のフェンスを傾斜地に設置する場合、縦格子は鉛直になるように設計するので、上下のビームが縦格子に対して角度を持つ形状の縦格子パネルが必要となる。
【０００３】
縦格子を上下のビームに溶接固定する構造のパネルであれば、予め工場で現地の勾配に合わせた形状のパネルを製作することになるが、個々の勾配に合わせて製作するのは煩雑であり納期がかかるなどの問題が生じる。そこで、縦格子に対して上下のビームの角度を変えることができる縦格子パネルが種々提案されている。
【０００４】
例えば特許文献１のものは、切割１ａを入れたパイプである縦格子１の端部に円錐面を持つ中子２を挿入し（まだ押し広げていない）、この状態で縦格子１の上下端部を上下のビームパイプ３の取付穴３ａに挿入し、その状態で上下のビームパイプ３を上下から圧縮することで、中子２により縦格子１の端部を図示のように押し広げて、縦格子１の端部がビームパイプ３から抜けないようにする構造である。
【０００５】
特許文献２のものは、縦格子６の上下の端部をビームパイプ７内でピン８により回動可能に連結する構造である。この場合、ピン支持位置がビームパイプ７内にくる軸支部材９をビームパイプ７に取り付ける。
【０００６】
特許文献３のものは、縦格子１１の上下の端部をビームパイプ１２の取付穴１２ａから挿入し、縦格子１１の端部に横楔１３とほぼ同径の第１楔穴１１ａと縦長の第２楔穴１１ｂとあけ、第１楔穴１１ａと第２楔穴１１ｂとに横楔１３を貫通させて、縦格子１１をビームパイプ１２に対して角度θをつけて取り付ける構造である。この場合、縦格子１１の端面の片側縁１１ｃをビームパイプ１２の内面に突き当てる。
【特許文献１】実公平２−４５２８９
【特許文献２】特開平１１−３２４４１４
【特許文献３】実開平４−６４６０
【発明の開示】
【発明が解決しようとする課題】
【０００７】
特許文献１の構造は、中子２を端部に挿入した多数の縦格子１をビームパイプ３の取付穴３ａに挿入した状態に保持して、上下のビームパイプ３間を圧縮するという作業が必要であるが、その作業は容易でなく、中子２が縦格子１の端部を押し広げた抜け止め状態に必ずなるとは限らず、そのために特別の熟練ないし製造技術ないし特別の装置が必要であり、簡単に採用できる技術ではない。
【０００８】
特許文献２の構造は、ピン支持位置がビームパイプ７内にくるような軸支部材９を取り付ける構造が複雑であり、コストも高いものとなる。
【０００９】
特許文献３の構造は、縦格子１１にあける第１楔穴１１ａと第２楔穴１１ｂとを異なる大きさにする必要があるので、製造工程が煩雑となる。また、第２楔穴１１ｂの大きさや位置によって勾配が決まるので、現地の勾配に任意に対応できるものではない。
【００１０】
本発明は上記従来の欠点を解消するためになされたもので、広い勾配範囲に対応可能であるとともに、構造が簡単でかつ部品数も少なく済み、かつ施工性に優れた縦格子パネルを提供することを目的とする。
【課題を解決するための手段】
【００１１】
上記課題を解決する本発明は、互いに平行な上下のビームパイプ間を、互いに平行な複数の縦格子で連結したフェンス用の縦格子パネルにおいて、
前記縦格子の上端部及び下端部のパネル面前後方向の面に凹部を形成し、前記縦格子の前記凹部のある上端部及び下端部を、上下の各ビームパイプに設けた取付穴からそれぞれビームパイプ内に挿入し、縦格子抜け防止用の抜止め棒を、ビームパイプのパネル面前後方向の内面と各縦格子の前記凹部とで形成された空間に挿入したことを特徴とする。
【００１２】
請求項２は、請求項１において、縦格子の凹部をパネル面前後方両面の２箇所に形成し、当該前後２箇所の凹部にそれぞれ対応する２本の抜止め棒を備えたことを特徴とする。
請求項３は、請求項１又は２において、縦格子の凹部がビームパイプ長手方向からみてコ字状の凹部であり、抜止め棒が丸パイプであることを特徴とする。
請求項４は、請求項１〜３において、抜止め棒が樹脂パイプであることを特徴とする。
【発明の効果】
【００１３】
本発明の縦格子パネルにおいて、抜止め棒はビームパイプ内で縦格子の凹部に係合して縦格子の抜け止め作用をし、この抜止め棒を内部に入れたビームパイプは縦格子に対して回動可能、すなわち傾斜可能である。すなわち、傾斜地の勾配に自在に対応できる。
構造が簡単であり、また、ビームパイプと縦格子以外に必要な部材は抜止め棒のみなので、部品点数が少なく済む。
抜止め棒の加工は例えば先端を尖らす程度の加工で済むので極めて簡単であり、また、縦格子、ビームパイプの加工も簡単で、容易にかつ能率的に製造できる。したがって、コストを安くできる。
勾配が変わっても同一の支柱で対応できるので、設計・製作が簡略化でき、この点でもコストを安くできる。
【００１４】
請求項２のように、縦格子のパネル面前後方向の２箇所（両面）でそれぞれ抜止め棒が縦格子に係合していると、抜け止め効果が高く、また、回動が円滑であり、安定した係合を実現できる。
請求項３において、丸パイプとコ字状の凹部との係合は、縦格子の抜け止めを図りつつ回動可能に係合させる構造としても適切である。
請求項４のように、抜止め棒として樹脂パイプを用いた場合、縦格子の抜け止めを図るに必要な剛性を有すると同時に、適度の柔軟性がビームパイプ内に抜止め棒を挿入する作業を容易にし、また、円滑な回動を可能にすることができるので、その組み合わせは適切である。
【発明を実施するための最良の形態】
【００１５】
以下、本発明の縦格子パネルの実施例を、図１〜図８を参照して説明する。
【実施例１】
【００１６】
図１は本発明の一実施例の縦格子パネル２１を用いたフェンス２２の正面図、図２は図１における縦格子パネル２１のみを示した正面図、図３は図２の拡大右側面図である。フェンス２２は間隔をあけて設置した支柱２３間に前記縦格子パネル２１を取り付けて構成される。
【００１７】
縦格子パネル２１は、互いに平行な上下のビームパイプ２５間を、互いに平行な多数の縦格子２７で連結した構成である。実施例のビームパイプ２５は鋼製の丸パイプ、縦格子２７はこれより細い鋼製の丸パイプである。
【００１８】
縦格子２７の上下端部と上下のビームパイプ２５との連結構造は上下とも同じ構造であるが、上側の連結部に示した図４、図５を参照して説明すると、縦格子２７の上端部及び下端部のパネル面前後方向の面（図４で左右方向の面）に凹部２７ａを形成している。また、各ビームパイプ２５には図６に示すように、各縦格子２７の端部を挿入するための取付穴２５ａを形成する。この取付穴２５ａは、ビームパイプ２５が縦格子２７に対して傾斜するのを妨げないようにビームパイプ長手方向に長い長穴とされている。
そして、各縦格子２７の前記凹部２７ａのある端部を前記取付穴２５ａからビームパイプ２５内に挿入した後、図６に示すようにビームパイプ２５より僅かに短い例えば塩化ビニルパイプによる縦格子抜け止め用の抜止め棒２８を、ビームパイプ２５のパネル面前後方向の内面２５ｂと凹部２７ａとの間に形成された空間２９に、ビームパイプ２５の一方の端部開口から挿入している。
【００１９】
この実施例の凹部２７ａは、丸パイプである縦格子２７のパネル面前後方向の面をビームパイプ長手方向から見てコ字形に切り欠いた形状であり、したがって、図５の正面図では穴となって見える。また、図示例では、縦格子２７の端部に設ける凹部２７ａをパネル面前後方向の２箇所（両面）に形成しており、前後２箇所の凹部２７ａにそれぞれ対応する２本の抜止め棒２８を通している。
【００２０】
上下のビームパイプ２５の両端にはそれぞれ連結ピン穴２５ｃをあけており、縦格子パネル２１は、図１に示すように支柱２３側のブラケット３０に前記連結ピン穴２５ｃを通る連結ピン３１により回動可能に連結している。
なお、上下のビームパイプ２５と支柱２３との連結構造は、簡略化して示したが、種々設計変更可能である。要するにビームパイプ２５を回動可能に連結するものであればよい。
【００２１】
図１はフェンス２２を勾配のない平坦地に設置した場合のものであり、上下のビームパイプ２５は水平で、鉛直な縦格子２７に対して直角である。
上記のフェンス２２を傾斜地に設置する場合は、図７に示すように、ブラケット３０を含めて支柱２３側の構造は平坦地の場合と同じ構造のものを使用することができ、そして、平坦地の場合と同様にして、上下のビームパイプ２５の両端を支柱２３のブラケット３０にピン３１を介して連結する。すると、上下のビームパイプ２５は、図７の通り自動的に傾斜地の勾配に応じた勾配となるが、各縦格子２７は鉛直のままである。すなわち、ビームパイプ２５を支柱２３に対して角度を付けて連結した場合、図８のようにビームパイプ２５内の抜止め棒２８もビームパイプ２５とともに傾斜するが、その際、抜止め棒２８は縦格子２７の凹部２７ａ内で回動を妨げられることがないので、縦格子２７から拘束を受けずに自在に傾斜することができ、縦格子２７は自重により鉛直のままとなる。全ての縦格子２７についての上端部及び下端部がいずれも図８と同様な態様で角度がつくので、縦格子パネル２１は縦格子２７が鉛直な姿勢の多数の平行四辺形を形成する形で、支柱２３間に取り付けられることになる。このように、縦格子パネル２１は傾斜地の勾配に自在に対応することができる。
【００２２】
上記の縦格子パネル２１において、ビームパイプ２５と縦格子２７との連結構造は極めて簡単であり、また、必要な部材は抜止め棒２８のみなので、部品点数が少なく済む。
また、縦格子２７は凹部２７ａを形成するだけでよく、ビームパイプ２５は単に長穴（取付穴２５ａ）をあけるだけでよいので、いずれも加工が簡単であり、容易にかつ能率的に製造できる。したがって、コストを安くできる。
抜止め棒２８は市販の例えば塩化ビニルパイプ等を所定の長さに切断し、先端を尖らすだけでよく特別仕様の部品は不要なので、この点でもコストが安く済む。
また、傾斜地の勾配が変わっても同一の支柱２３及びブラケット３０で対応できるので、設計・製作が簡略化でき、この点でもコストを安くできる。
【００２３】
実施例のように、縦格子２７のパネル面前後方向の両面の凹部２７ａにそれぞれ抜止め棒２８が縦格子２７に係合していると、抜け止め効果が高く、また、回動が円滑であり、安定した係合を実現できる。なお、凹部２７ａ及び抜止め棒２８を一方のみとすることもできる。
【００２４】
抜止め棒２８が縦格子２７に対して回動可能であるのは、抜止め棒２８が凹部２７ａに水平に係合した状態で抜止め棒２８と凹部２７ａとの間に上下方向の隙間（図５の寸法ｃ）があることによるものである。そして、この隙間ｃの量によって対応可能な勾配の大きさが決まる。例えば、ビームパイプ２５の内径が３８．２ｍｍ、縦格子２７の外径が２１．７ｍｍ、縦格子２７の凹部２７ａの高さ寸法が１６ｍｍ、深さ寸法が２．８ｍｍ、抜止め棒２８の外径が１１ｍｍの場合、ビームパイプ２５が縦格子２７に対して傾斜できる角度は約３８°である。
また、実施例のように抜止め棒２８として樹脂パイプを用いると、縦格子２７の抜け止めを図るに必要な剛性を有すると同時に、その硬度が適度であることで円滑な回動を可能にするので、その組み合わせは適切である。
【００２５】
本発明において、上下のビームパイプ２５は丸パイプに限らず、角パイプ等の閉断面の部材を使用することもできる。
なお、図６（ハ）に示したビームパイプ２５’のように、完全な閉断面に限らず、ビームパイプの長手方向にスリット２５’ａが形成され、当該スリットに沿って取付穴２５ａをあけたものでもよい。
縦格子２７についても、断面形状の制限は特にないので、丸パイプに限らず、角パイプ等の閉断面の部材を用いることができるが、さらに、パイプに限らず、中実の棒材部材を用いることもできる。
抜止め棒２８についても、丸パイプに限らず、角パイプ等の閉断面の部材を用いることができ、さらに中実の棒状部材を用いることができる。また、抜止め棒２８の材質は、塩化ビニルに限らず、その他の樹脂、あるいは金属等を用いることができる。
【図面の簡単な説明】
【００２６】
【図１】本発明の一実施例の縦格子パネルを用いたフェンスの正面図である。
【図２】図１における縦格子パネルのみを示した正面図である。
【図３】図２の拡大右側面図である。
【図４】図２のＡ−Ａ拡大断面図である。
【図５】図２のＢ部の一部断面の拡大図である。
【図６】（イ）は上記縦格子パネルにおける上側ビームの底面図、（ロ）は同抜止め棒の平面図、（ハ）はビームパイプの閉鎖断面の変形例を示す断面図である。
【図７】図１のフェンスを傾斜地に設置した場合の正面図である。
【図８】図７の要部の一部断面の拡大図であって、図４に対応する図である。
【図９】従来例を示すもので、縦格子パネルにおける要部の一部切り欠き正面図である。
【図１０】他の従来例を示すもので、縦格子パネルにおけるビームパイプと縦格子との連結部の断面図である。
【図１１】さらに他の従来例を示すもので、縦格子パネルにおけるビームパイプと縦格子との連結部の断面図である。
【符号の説明】
【００２７】
２１  縦格子パネル  
２２  フェンス
２３  支柱
２５、２５’  ビームパイプ
２５ａ  取付穴
２５ｂ  （ビームパイプの）パネル面前後方向の内面
２５ｃ  連結ピン穴
２７  縦格子
２７ａ  凹部
２８  抜止め棒
２９  空間
３０  ブラケット
３１  連結ピン
【図１】
2006257670.tif 000003
【図２】
2006257670.tif 000004
【図３】
2006257670.tif 000005
【図４】
2006257670.tif 000006
【図５】
2006257670.tif 000007
【図６】
2006257670.tif 000008
【図７】
2006257670.tif 000009
【図８】
2006257670.tif 000010
【図９】
2006257670.tif 000011
【図１０】
2006257670.tif 000012
【図１１】
2006257670.tif 000013